(57)【要約】本発明は、例えばＵＭＴＳ標準に従って機能する移動無線通信システムの端末機を少なくとも１つの無線ローカルネットワーク、例えば「ワイヤレスローカルネットワーク」ＷＬＡＮ（＝Wireless Local Area Network）において作動させるための方法であって、端末機において少なくとも１つのアクセス情報が記憶可能であるようになっている形式のものにおいて、アクセス情報は、それが少なくとも１つの、移動無線通信システムに対する第１の識別情報と少なくとも１つの、ローカルネットワークに対する第２の識別情報とを有しているようにコード化されている。
2006506923.tif 000002
【特許請求の範囲】
【請求項１】
例えばＵＭＴＳ標準に従って機能する移動無線通信システムの端末機を少なくとも１つの無線ローカルネットワーク、例えば「ワイヤレスローカルネットワーク」ＷＬＡＮ（＝Wireless Local Area Network）において作動させるための方法において、
端末機において少なくとも１つのアクセス情報が記憶可能であるようにし、ここでアクセス情報は、それが少なくとも１つの、移動無線通信システムに対する第１の識別情報と少なくとも１つの、ローカルネットワークに対する第２の識別情報とを有しているようにコード化されている
ことを特徴とする方法。
【請求項２】
第２の識別情報はローカルネットワークの場所についての第１の情報を有している
請求項１記載の方法。
【請求項３】
第２の識別情報はローカルネットワークのタイプについての第２の情報を有している
請求項１または２記載の方法。
【請求項４】
第２の識別情報はローカルネットワークの少なくとも１つの提供されるサービスについての第３の情報を有している
請求項１から３までのいずれか１項記載の方法。
【請求項５】
第２の識別情報はローカルネットワークを一義的に識別可能である第４の情報を有している
請求項１から４までのいずれか１項記載の方法。
【請求項６】
第１、第２および／または第３の情報を最大で３つの十進数によってコード化する
請求項１から４までのいずれか１項記載の方法。
【請求項７】
第４の情報を最大で５つの十進数によってコード化する
請求項１から６までのいずれか１項記載の方法。
【請求項８】
第２の識別情報を第１のリストとして組織編成して記憶し、ここで該第１のリストはローカルネットワーク内での端末機の作動を許容するローカルネットワークに属している第２の識別情報を含んでいる
請求項１から７までのいずれか１項記載の方法。
【請求項９】
第２の識別情報を第１のリストとして組織編成して記憶し、ここで該第１のリストはローカルネットワーク内での端末機の作動を禁止するローカルネットワークに属している第２の識別情報を含んでいる
請求項５記載の方法。
【請求項１０】
少なくとも第１のアクセス情報をユーザ識別のための装置、例えばＵＳＩＭモジュールに記憶する
請求項１から９までのいずれか１項記載の方法。
【請求項１１】
例えば請求項１から１０までのいずれか１項記載の方法を実施するための装置。
【請求項１２】
請求項１１の装置であることを特徴とするテレコミュニケーション端末機。
【発明の詳細な説明】
【技術分野】
【０００１】
本発明は、請求項１の上位概念に記載の移動無線通信システムの端末機の作動方法に関する。
【０００２】
情報および通信ネットワークはますます１つに集中されるようになってきている。それ故に、例えばＵＭＴＳ（Universal Mobile Telecommunications Systen）のようないわゆる第３世代（３Ｇ）の無線通信システムまたはその他のシステムを、データネットワークに対するできるだけ煩雑でない結合が可能になるように構成する努力も払われている。
【０００３】
すなわち例えば、３ＧＰＰ標準化委員会においてＷＬＡＮ（Wireless Local Area Network）からＵＭＴＳへの結合が討議される。この形式の結合のために、ＷＬＡＮの技術的な可能性に基づいて大きな関心が生じている。例えば、大きな加入者密度を有する空港、ホテルのような小さな局所的な領域におけるＵＭＴＳに対する補充として、部分的にパブリックの、コストレスのＷＬＡＮアクセスポイント、いわゆる「ホット・スポット」を利用すること。
【０００４】
この場合、ＴＣＰ／ＩＰ、ＡＴＭまたはＢ−ＩＳＤＮに基づいている広帯域データネットワークに対する広帯域の無線アクセスを可能にする種々のＷＬＡＮテクノロジーが考察される。広帯域ＷＬＡＮテクノロジーに対する例はＩＥＥＥ８０２．１１ａ、ＩＥＥＥ８０２．１１ｂ、Ｈｉｐｅｒｌａｎ／２、ＯｐｅｎＡｉｒまたはＳＷＡＰである。しかし所定のＷＬＡＮテクノロジーに対する制限が定められているわけではないので、以下に簡単に記号ＷＬＡＮが使用される。
【０００５】
図１にはＷＬＡＮの基本原理が図示されている。ＷＬＡＮによって無線の局所的な通信ネットワークを確立することができる。ここで移動加入者ＭＴは無線を用いていわゆるアクセスポイントＡＰ（Access Point）（ＷＬＡＮ基地局）を介して広帯域データネットワークＢＤＮに接続されている。それぞれのアクセスポイントＡＰはセルに存在しているすべての移動局ＭＴ（Mobil Terminal）にサービスする。その際セルの規模は最大で、数百メートルまでとすることができる。基本的にＷＬＡＮによってセルラ方式の無線ネットワークを確立することができ、ここでは移動局ＭＴが移動すると既存のデータコネクションをアクセスポイント間で引き継ぐことができる（ローミング）。最大のデータレートはその都度のＷＬＡＮテクノロジーに依存しておりかつ例えば５４Ｍｂｉｔ／ｓまでとすることができる。
【０００６】
ＷＬＡＮからＵＭＴＳへの結合のために、３ＧＰＰ標準化委員会において種々の解決手段が討議される。この場合１つの提案はむしろ「ルーズな」結合であって、ここではＷＬＡＮおよびＵＭＴＳが自立的なシステムをなしかついわゆる「相互作業ユニット」（Interworking Unit＝ＩＷＵ）を介して相互に接続されている。図２にはこれに対して１つの可能なネットワークアーキテクチャが例として図示されている。この場合エレメントＡＰ、ルーターおよびＡＡＡＬを有するＷＬＡＮのネットワークアーキテクチャが図示されており、一方エレメントＵＭＴＳ基地局ノードＢ、ＲＮＣ、ＳＧＳＮ、ＧＧＳＮおよびＨＳＳを有するＵＭＴＳのネットワークアーキテクチャが図示されている。相互作業ユニットＩＷＵのタスクはシグナリングおよびユーザデータの、ＷＬＡＮからＵＭＴＳへの変換およびその逆方向の変換である。ＩＷＵ結合に基づいた解決策は非常に有利である。その理由は、これによりＷＬＡＮおよび殊にＵＭＴＳのネットワークおよびプロトコルアーキテクチャに対して大きな変化を実施する必要がないからである。ＵＭＴＳターミナルにおいて相応のモジュールによるＷＬＡＮ結合のインプリメンテーションは次の形に見える可能性がある。つまり、モジュールがＷＬＡＮ無線部として既にＵＭＴＳターミナルに付加的に統合されるまたはＷＬＡＮ−ＰＣカードとしてターミナルの相応のインタフェース、例えばＰＣＭＣＩＡインタフェースの形のインタフェースに挿入されなければならない。
【０００７】
ホット・スポットにおけるＷＬＡＮの有利なアプリケーションシナリオに基づいて、将来的に世界規模で、多数の公共（ｐｕｂｌｉｃ、パブリック）の並びに私設（ｐｒｉｖａｔｅ、プライベート）のＷＬＡＮプロバイダーが出現して、ネットワークをそれぞれ異なっているＷＬＡＮテクノロジーで運営するものと予測される。ＷＬＡＮも利用したいＵＭＴＳターミナルに対する問題はそれぞれのＷＬＡＮアクセスに対して、対応するそれぞれのテクノロジーを有するＷＬＡＮモジュールを持っていなければならないことである。更に、それぞれのＵＭＴＳターミナルがそれぞれのネットワークプロバイダーにおいても、契約を通してであれダイナミックにその場でその都度であれ顧客として登録しなければならないことは問題である。
【０００８】
ＷＬＡＮネットワークが存在している場合には、ユーザの認証のために普通は、氏名、パスワードおよびＩＰアドレスだけで十分である。更にＷＬＡＮネットワークによる識別および認証は現在の所、任意に選択された名前（例えば“WLAN Flughafen-Hamburg”（「ＷＬＡＮハンブルク空港」）およびアクセスポイントのＩＰアドレスによってだけで行われる。
【０００９】
本発明の課題は、移動無線端末機を殊に上述した、異種の環境において作動させることを可能にする方法を提供することである。
【００１０】
この課題は、請求項１の上位概念に記載の端末機の作動方法から出発して特徴部分に記載の構成によって解決される。
【００１１】
殊にＵＭＴＳ標準に従って機能する移動無線通信システムの端末機を少なくとも１つの殊に無線のローカルネットワーク、例えばＩＥＥＥ８０２．１１標準に従って機能するローカルネットワークにおいて作動させるための本発明の方法において、端末機において少なくとも１つのアクセス情報が記憶可能であるようにし、ここでアクセス情報は、それが少なくとも１つの、移動無線通信システムに対する第１の識別情報と少なくとも１つの、ローカルネットワークに対する第２の識別情報とを有しているようにコード化されている。
【００１２】
移動無線通信システムに対する識別情報とローカルネットワークに対する識別情報との両方を含んでいる少なくとも１つの付加情報を記憶できるようにするという本発明の定義により、特別簡単で、にも拘わらず効率のよい、テレコミュニケーションおよび情報ネットワークに対するアクセスの処理が提供される。これらの情報をこのようなネットワークにおいて作動することができる端末機に記憶することによって、この種のネットワークの提供者はこの種のアクセスの許可に関するコントロールを行えるようになる。というのは、使用契約の締結時にサービスの範囲を取り決めかつ相応の端末機の引渡の際アクセス情報の相応の記憶によって考慮することができるからである。
【００１３】
有利には、第２の識別情報はローカルネットワークの場所についての第１の情報を有しているので、端末機において、端末機の現在の所在地でローカルネットワークの利用もしくはそこへのログインが可能であるかどうかを調べることができる。
【００１４】
有利には、第２の識別情報はローカルネットワークのタイプについての第２の情報を有しているので、例えば必要なパラメータ調整設定は端末機の側から行うことができもしくは端末機はこの情報から逆にネットワークで使用できるサービスを知ることができる。
【００１５】
後者は、本発明の方法が第２の識別情報がローカルネットワークの少なくとも１つの提供されるサービスについての第３の情報を有しているようにインプリメンテーションされる端末機によって比較的コストをかけずに突き止められる。
【００１６】
場所、タイプおよび提供されるサービスに関する情報はとりわけパブリックローカルネットワークに対する確認識別およびアクセスには十分である一方、第２の識別情報の部分としてローカルネットワークを一義的に識別することができる第４の情報により、ネットワークの限定的な選択が可能になる。この選択は殊に、移動無線システムのプロバイダーの側からかまたはローカルネットワークの通信事業者の側からか、それぞれのローカルネットワークに対するアクセスの制限が与えられているとき必要である。
【００１７】
有利には、第１、第２および／または第３の情報は最大で３つの十進数によって並びに第４の情報は最大で５つの十進数によってコード化され、その結果第２の識別情報のコード化のために、最大で７バイトが必要である。
【００１８】
第２の識別情報を第１のリストとして組織編成して記憶し、ここで該第１のリストはローカルネットワーク内での端末機の作動を許容するローカルネットワークに属している第２の識別情報を含んでいるようにすれば、簡単な手法で、適当な、現在到達可能な並びにとりわけ端末機がアクセスできるローカルネットワークがテーブルに記憶されているデータセットに基づいて求められる。
【００１９】
択一的にまたは補足的に、第２の識別情報を第１のリストとして組織編成して記憶し、ここで該第１のリストはローカルネットワーク内での端末機の作動を禁止するローカルネットワークに属している第２の識別情報を含んでいるようにすることができる。このことは例えば、移動通信システムの端末機が、それがユーザに、端末機の無線サービスエリアに現時点で存在しているローカルネットワークを自動的にまたはシグナリングの評価によって突き止めて、アクセスできないネットワークにフィルタをかけて指示するように実現されているとき有利に使用することができる。
【００２０】
有利には、少なくとも第１のアクセス情報がユーザ識別のための装置、殊にＵＳＩＭモジュールに記憶される。これにより、端末機は本発明の方法の実施のために必要である変更を行わないですむことになる。付加的に、移動無線通信システムにおいてしばしば起こる端末機の交代の際にアクセス情報は維持されるという利点が得られる。
【００２１】
本発明の別の利点および詳細を次の各図に基づいて説明する。その際
図１は例としてのＷＬＡＮネットワークを示し、
図２はワイヤレスローカルネットワーク（ＷＬＡＮ）をＵＭＴＳ移動無線通信システムに結合する１つの可能なネットワークアーキテクチャを示し、
図３は例としてのＷＬＡＮネットワークのユーザ装置のエレメントを示し、
図４は利用可能なＷＬＡＮネットワークの本発明のテーブルを示し、
図５は利用可能でないＷＬＡＮネットワークの本発明のテーブルを示している。
【００２２】
本発明の実施例は、ＵＭＴＳ標準に従って作動される移動無線通信システム並びにＩＥＥＥ８０２．１１に従って作動される少なくとも１つのローカルワイヤレスネットワーク
（ＷＬＡＮ）から成るヘテロな環境における本発明の方法のインプリメンテーションによって示されている。それ故に、以下に本発明を理解するために、このシステムの重要なディテールを説明するが、分かり易くするために次の略語を使用する：
３ＧＰＰ（Third Generation Partnership Project）
第３世代のパートナーシッププロジェクト
ＡＡＡＬ（Authentication Authorization Accounting Local）
認証許可アカウントローカル
ＡＰ（Access Point）
アクセスポイント
ＡＴＭ（Asynchronous Transfer Modus）
非同期転送モード
ＡＷＰＬＭＮ（Allowed WLAN PLMN）
許可されたＷＬＡＮ  ＰＬＭＮ
ＢＤＮ（Broadband Data Networks）
ブロードバンドデータネットワーク
Ｂ−ＩＳＤＮ（Broadband Integrated Service Digital Network）
ブロードバンド統合サービスデジタルネットワーク
ＥＦ（Elementary File）
基本ファイル
ＦＰＬＭＮ（Forbidden PLMN）
禁止されたＰＬＭＮ
ＦＷＰＬＭＮ（Forbidden WLAN PLMN）
禁止されたＷＬＡＮ  ＰＬＭＮ
ＧＧＳＮ（Gateway GPRS Support Node）
ゲートウェイＧＰＲＳサポートノード
ＧＰＲＳ（Gereral Packet Radio Service）
ゼネラルパケットラジオサービス
Ｈｉｐｅｒｌａｎ／２（High Performance Local Area Network Type 2）
ハイパフォーマンスローカルエリアネットワーク、タイプ２
ＨＰＬＭＮｗＡｃｔ（Home PLMN selector with Access Technology）
アクセス技術を用いるホームＰＬＭＮセレクタ
ＩＥＥＥ（Institute of Electrical and Electronics Engineers）
電気電子学会
ＩＭＳＩ（International Mobile Subscriber Identity）
国際移動加入者識別
ＩＰ（Internet Protocol）
インターネットプロトコル
ＩＷＵ（Interworking Unit）
相互作業ユニット
Ｍｂｉｔ／ｓ（Mega bits per second）
毎秒メガビット
ＭＣＣ（Mobile Country Code）
移動国コード
ＭＥ（Mobile Equipment）
移動装置
ＭＮＣ（Mobile Netwaork Code）
移動ネットワークコード
ＭＴ（Mobile Terminal）
移動局、移動ターミナル
ＯＰＬＭＮｗＡｃｔ（Operator controlled PLMN selector with Access Technology）
アクセス技術を用いるオペレータコントロール型ＰＬＭＮセレクタ）
ＰＣＭＣＩＡ（Personal Computer Memory Card Internatiopnal Association）
パーソナルコンピュータメモリカード国際協会
ＰＬＭＮ（Public Land Mobile Network）
パブリック地上移動ネットワーク
ＰＬＭＮｗＡｃｔ（User controlled PLMN selector with Access Technology）
アクセス技術を用いるユーザコントロール型ＰＬＭＮセレクタ
ＲＮＣ（Radio Network Controller）
ラジオネットワークコントローラ
ＳＧＳＮ（Serving GPRS Support Node）
ＧＰＲＳサポートノードサービス
ＳＷＡＰ（Shared Wireless Access Protocol）
共有ワイヤレスアクセスプロトコル（無線通信規格）
ＴＣＰ（Transmission Control Protocol）
伝送制御プロトコル
ＵＥ（User Equipment）
ユーザ装置
ＵＩＣＣ（Universal Integrated Circuit Card）
ユニバーサル集積回路カード
ＵＭＴＳ（Universal Mobile Telecommunications System）
ユニバーサル移動テレコミュニケーションシステム
ＵＳＡＴ（USIM Application Toolkit）
ＵＳＩＭアプリケーションツールキット
ＵＳＩＭ（Universal Subscriber Identity Module）
ユニバーサル加入者識別モジュール
ＷＡＣ（WLAN Application Code）
ＷＬＡＮアプリケーションコード
ＷＬＡＮ（Wireless Local Area Network）
ワイヤレスローカルエリアネットワーク
ＷＮＣ（WLAN Network Code）
ＷＬＡＮネットワークコード
ＷＴＣ（WLAN Type Code）
ＷＬＡＮタイプコード
ＵＭＴＳにおいてそこではＵＥ（User Equipment）と称される本来のターミナルは、ＭＥ（Mobile Equipment）および物理的なチップカードＵＩＣＣから成っている（図３参照）。ＵＩＣＣには標準に従って、ＵＳＩＭ（Universal Subscriber Identity Module）がＵＳＡＴ機能（USIM Application Toolkit）（＝ＳＩＭアプリケーションツールキット）と一緒にインプリメンテーションされている。ＵＳＩＭは、移動無線加入者が自分のＭＥをＵＭＴＳ無線ネットワークにおいて利用できるようにするために、絶対に必要である。ＵＳＩＭには加入者の接続のすべての重要なデータが記憶されている。これらのデータは移動無線加入者のアクセス権限の識別および証明（認証）のために用いられると同時に、ユーザデータに対して暗号化および暗号化解除して盗聴されたり改竄されたりするのを確実に防止するようにしている。具体的にはＵＳＩＭ上のデータは“Elementary Filrs（ＥＦ）”の形において記憶される（３ＧＰＰ  ＴＳ３１．１０２：Characteristics of the USIM Application 参照）。例えばＩＭＳＩ（International Mobile Subscriber Identity）がＥＦ ＩＭＳＩに、ユーザデータを暗号化しかつ暗号解除するためのキーがＥＦ Ｋｅｙｓにおいて記憶される。
【００２３】
更に、ＵＳＩＭにはＰＬＭＮ（Public Land Mobile Network）、すなわちパブリック移動無線ネットワークの相応するリストが記憶されており、これらに基づいて移動無線加入者はそれぞれの所在地に依存して移動無線ネットワークにログインすることができる：
−  ＥＦ ＨＰＬＭＮｗＡｃＴ（Home PLMN selector with Access Technology）：このリストは移動無線加入者に属している、ホームの移動無線ネットワーク（Home PLMN）の識別を無線伝送テクノロジーのデータと一緒に含んでいる。
−  ＥＦ ＰＬＭＮｗＡｃＴ（User controlled PLMN selector with Access Technology）：このリストは移動無線加入者によってコントロールされる、移動無線ネットワークの識別をそれぞれの無線伝送テクノロジーのデータと一緒に含んでいる。
−  ＥＦ ＯＰＬＭＮｗＡｃＴ（Operator controlled PLMN selector with Access Technology）：このリストはネットワークオペレーターによってコントロールされる、移動無線ネットワークの識別をそれぞれの無線伝送テクノロジーのデータと一緒に含んでいる。
−  ＥＦ ＥＰＬＭＮ（Forbidden ＰＬＭＮs）：このリストは、移動加入者がログインするのが許されない阻止されている移動ネットワークの識別を含んでいる。
【００２４】
上に挙げたリストにおいてそれぞれのＰＬＭＮは一義的なＰＬＭＮ識別によって識別されている。その際ＰＬＭＮ識別は次の２つの構成要素から組み合わされて成る：
−  移動国コード（ＭＣＣ）は３つの数字（十進数）から成っている。ＭＣＣは一義的な手法で、移動無線ネットワークが作動される国を識別する。例えばドイツ連邦共和国はＭＣＣ＝「２６２」であり、英国はＭＣＣ＝「２３４」である。
−  移動ネットワークコード（ＭＮＣ）は３つの数字（十進数）から成っておりかつＭＣＣに依存して一義的な手法で移動無線ネットワークを識別する。例えばドイツ連邦共和国に対しては次のコードが定義されている：Ｔ−Ｍｏｂｉｌに対してはＭＮＣ＝００１、Ｖｏｄａｆｏｎｅに対してはＭＮＣ＝００２、Ｅ−Ｐｌｕｓに対してはＭＮＣ＝００３およびＶｉａｇに対してはＭＮＣ＝００７である。
【００２５】
そこで本発明の重要な要部は、一方における、ＷＬＡＮネットワークを一義的に識別しかつ認証するためのＷＬＡＮ識別のコード化方法および他方における、ＵＳＩＭに記憶されているＷＬＡＮ識別リストに基づいているＵＭＴＳユーザのＷＬＡＮアクセスである。その際ＵＭＴＳターミナルはそれぞれのテクノロジーのＷＬＡＮモジュールも利用できるようになっていることが前提とされる。ＵＳＩＭに基づいている解決法は次の利点を有している：
−  ＷＬＡＮネットワークを一義的な仕方で識別しかつ認証することができる。
−  ＵＭＴＳ加入者による、ＷＬＡＮネットワークへのアクセスは複雑でない手法で実現される。
−  ＵＭＴＳおよびＷＬＡＮプロバイダーは所定のネットワークもしくはネットワーククラスに対するＷＬＡＮアクセスを制御することができる。
【００２６】
ＷＬＡＮネットワークの一義的な識別および認証のために、これらは本発明によれば次の４つの構成要素から組み合わされている識別によってコード化される：
−  ＷＬＡＮ識別＝ＭＣＣ＋ＷＴＣ＋ＷＡＣ＋ＷＮＣ、ここで
−  移動国コード（Mobile Country Code＝ＭＣＣ）は３つの数字（十進数）から成りかつ一義的な方法で、ＷＬＡＮネットワークが作動される国を識別し、
−  ＷＬＡＮ形式コード（Mobile Type Code＝ＷＴＣ）は最大で３つの数字（十進数）から成っておりかつ一義的な方法で、ＷＬＡＮネットワークのタイプを識別し、
−  ＷＬＡＮアプリケーションコード（WLAN Application Code＝ＷＡＣ）は最大で３つの数字（十進数）から成っておりかつ一義的な方法で、ＷＬＡＮアプリケーションを識別し、
−  ＷＬＡＮネットワークコード（WLAN Network Code＝ＷＡＣ）は最大で５つの数字（十進数）から成っておりかつＭＣＣ、ＷＴＣおよびＷＡＣに依存して一義的な方法でＷＬＡＮネットワークを識別する。
【００２７】
ＷＬＡＮ識別の長さは最大で１４個の数字（十進）から成っている。ＷＴＣおよびＷＡＣの定義のために任意の組み合わせが可能である。例えばＷＬＡＮタイプコードとして次のものを定義することができる：
−  「００１」＝パブリック、タイプ１
−  「００２」＝パブリック、タイプ２
−  「００３」＝プライベート、タイプ１
−  「００２」＝プライベート、タイプ２
−  等々。
【００２８】
同じように、ＷＬＡＮアプリケーションコードとして次のものを定義することができる：
−  「００１」＝空港
−  「００２」＝ホテル、ルクサスクラス
−  「００３」＝ホテル、ミドルクラス
−  「００４」＝駅
−  「００５」＝コーヒーショップ
−  等々。
【００２９】
ＷＬＡＮアクセスは択一的にまたは補足的にＷＬＡＮ識別リストに基づいて決定される。このためにＵＳＩＭにはデータファイルＥＦ ＡＷＰＬＭＮ（Allowed WLAN PLMN）およびＥＦ ＦＷＰＬＭＮ（Forbidden WLAN PLMN）が定義される。データファイルＥＦ ＡＷＰＬＭＮはリストの形でＵＭＴＳ加入者に許容されるＷＬＡＮネットワークの識別を含んでおりかつｎ＊７バイトの長さを有しているものである。同様に、データファイルＥＦ ＦＷＰＬＭＮはリストの形で、ＵＭＴＳ加入者に禁止されているＷＬＡＮネットワークの識別を含んでおりかつｎ＊７バイトの長さを有しているものである。パラメータｎはリストに挙げられているＷＬＡＮネットワークの数を指示する。リストに挙げられているＷＬＡＮネットワーク当たり、識別に対して７バイトが割り当てられる。７バイトは、ＷＬＡＮ識別のそれぞれ個々の数字がそれぞれ４つのビットによってコード化されるという事実から来る。表１はデータファイルＥＦ ＡＷＰＬＭＮもしくはＥＦ ＦＷＰＬＭＮのストラクチャに対する１例を示している。
【００３０】
【表１】
2006506923.tif 000003
【００３１】
このようなＷＬＡＮ識別リストにより、ＵＭＴＳユーザにＵＭＴＳまたはＷＬＡＮプロバイダーとの契約締結時に、ユーザがＵＭＴＳの他にＷＬＡＮも利用しようとしているのかそうではないか次第で、相応のＷＬＡＮアクセスを許可するまたは阻止することができる可能性が生じる。更にＷＬＡＮ識別リストにより、許可されたもしくは阻止されたＷＬＡＮのダイナミックな処理が契約実行期間中にも可能になる。
【００３２】
本発明の方法の使用を説明するために、移動無線加入者がドイツにおいて空港にいて、自分のＵＭＴＳターミナルでＷＬＡＮ無線ネットワークを介してＩＥＥＥ８０２．１１ｂテクノロジーに基づいて、インターネットとのコネクションを確立しようとしているものと仮定する。加入者のターミナルは相応のＷＬＡＮモジュールを使用しており、かつそのＵＳＩＭには、データファイルＥＦ ＡＷＰＬＭＮにおいて図４に示されているように許可されたＷＬＡＮネットワークが記憶されておりかつデータファイルＥＦ ＦＷＰＬＭＮにおいて図５に示されているように阻止されているＷＬＡＮネットワークが記憶されている。
【００３３】
ＵＳＩＭにはデータファイルＥＦ ＡＷＰＬＭＮに４つのエントリが含まれている。エントリ１によれば加入者にドイツにおいてタイプ「パブリック、タイプ１」のそれぞれのＷＬＡＮネットワークにおけるＷＬＡＮアクセスおよびアプリケーション「空港」が許可される。同じことがエントリ２によれば、タイプ「プライベート、タイプ１」のすべてのＷＬＡＮネットワークおよびアプリケーション「ホテル、ルクサスクラス」に対しても当てはまる。エントリ３によれば、加入者は英国においてもタイプ「パブリック、タイプ１」のそれぞれのＷＬＡＮネットワークへのＷＬＡＮアクセスおよびアプリケーション「空港」を有している。かつエントリ４によれば加入者はタイプ「プライベート、タイプ１」のすべてのＷＬＡＮネットワークへの世界規模のアクセスおよびアプリケーション「コーヒーショップ」を有している。
【００３４】
ＵＳＩＭにはデータファイルＥＦ ＦＷＰＬＭＮに２つのエントリが含まれている。エントリ１によれば加入者にはドイツにおいて、タイプ「パブリック、タイプ２」のそれぞれのＷＬＡＮネットワークへのＷＬＡＮアクセスはアプリケーションに関係なく許可されない。エントリ２によればＷＮＣ＝０１７、タイプ「パブリック、タイプ２」およびアプリケーション「ホテル、ルクサスクラス」を有する英国における所定のＷＬＡＮネットワークへのアクセスは許可されていない。
【００３５】
ＥＦ ＦＷＰＬＭＮにおけるエントリ１によればＷＬＡＮアクセスはドイツにおいて空港によって許可されているので、移動無線加入者はＵＭＴＳターミナルによってＷＬＡＮモジュールを介してインターネット接続を確立することができる。
【００３６】
本発明はこの実施例に制限されていない。それどころか本発明は当業者の能力の範囲において可能なすべてのインプリメンテーションを含んでいる。これらは、本発明にとって重要な要部−無線のローカルなネットワークのコード化を表している、一義的な識別のための識別のコード化および無線のローカルネットワークを含んでいる識別リストに基づいたＵＭＴＳユーザの無線のローカルネットワークへのアクセスの実現を制御する。その際識別リストはＵＭＴＳターミナルにおけるＵＳＩＭに記憶され、従って一義的な識別および将来のＵＭＴＳユーザに対するローカル無線ネットワークによる認証を複雑ではない仕方で可能にしかつＵＭＴＳプロバイダーおよびローカルネットワークの事業者に適している手段を使用してネットワークアクセスを複雑でなく制御できる。
【図面の簡単な説明】
【００３７】
【図１】ＷＬＡＮネットワークの一例の略図
【図２】ワイヤレスローカルネットワーク（ＷＬＡＮ）をＤＭＴＳ移動無線通信システムに結合するネットワークアーキテクチャの一例の略図
【図３】ＷＬＡＮネットワークのユーザ装置の一例の略図
【図４】利用可能であるＷＬＡＮネットワークの、本発明のテーブルを説明する図
【図５】利用可能でないＷＬＡＮネットワークの、本発明のテーブルを説明する図
【図１】
2006506923.tif 000004
【図２】
2006506923.tif 000005
【図３】
2006506923.tif 000006
【図４】
2006506923.tif 000007
【図５】
2006506923.tif 000008
【手続補正書】
【提出日】平成17年2月2日(2005.2.2)
【手続補正１】
【補正対象書類名】特許請求の範囲
【補正対象項目名】全文
【補正方法】変更
【補正の内容】
【特許請求の範囲】
【請求項１】
例えばＵＭＴＳ標準に従って機能する移動無線通信システムの端末機を少なくとも１つの無線ローカルネットワーク、例えば「ワイヤレスローカルネットワーク」ＷＬＡＮ（＝Wireless Local Area Network）において作動させるための方法において、
端末機において少なくとも１つのアクセス情報が記憶可能であるようにし、ここでアクセス情報は、それが少なくとも１つの、移動無線通信システムに対する第１の識別情報と少なくとも１つの、ローカルネットワークに対する第２の識別情報とを有しているようにコード化されており、
第２の識別情報はローカルネットワークの場所についての第１の情報を有しており、
第２の識別情報はローカルネットワークのタイプについての第２の情報を有しておりかつ
第２の識別情報はローカルネットワークの少なくとも１つの提供されるサービスについての第３の情報を有している
ことを特徴とする方法。
【請求項２】
第２の識別情報はローカルネットワークを一義的に識別可能である第４の情報を有している
請求項１記載の方法。
【請求項３】
第１、第２および／または第３の情報を最大で３つの十進数によってコード化する
請求項１または２記載の方法。
【請求項４】
第４の情報を最大で５つの十進数によってコード化する
請求項１から３までのいずれか１項記載の方法。
【請求項５】
第２の識別情報を第１のリストとして組織編成して記憶し、ここで該第１のリストはローカルネットワーク内での端末機の作動を許容するローカルネットワークに属している第２の識別情報を含んでいる
請求項１から４までのいずれか１項記載の方法。
【請求項６】
第２の識別情報を第１のリストとして組織編成して記憶し、ここで該第１のリストはローカルネットワーク内での端末機の作動を禁止するローカルネットワークに属している第２の識別情報を含んでいる
請求項２記載の方法。
【請求項７】
少なくとも第１のアクセス情報をユーザ識別のための装置、例えばＵＳＩＭモジュールに記憶する
請求項１から６までのいずれか１項記載の方法。
【請求項８】
例えば請求項１から７までのいずれか１項記載の方法を実施するための装置。
【請求項９】
請求項１１の装置であることを特徴とするテレコミュニケーション端末機。
【手続補正２】
【補正対象書類名】明細書
【補正対象項目名】０００８
【補正方法】変更
【補正の内容】
【０００８】
ＷＬＡＮネットワークが存在している場合には、ユーザの認証のために普通は、氏名、パスワードおよびＩＰアドレスだけで十分である。更にＷＬＡＮネットワークによる識別および認証は現在の所、任意に選択された名前（例えば“WLAN Flughafen-Hamburg”（「ＷＬＡＮハンブルク空港」）およびアクセスポイントのＩＰアドレスによってだけで行われる。
Ala-Laurila J. et al, Wireless LAN Access Network Archtecture for Mobile Operators, IEEE Communications Magazine, Nov. 2001, Vol. 39, page 82〜89 から、ＧＳＭネットワークの移動加入者がＳＩＭカードに含まれている識別情報に基づいてワイヤレスＬＡＮネットワークを利用できるようにするネットワークアーキテクチャが公知である。


【国際調査報告】
2006506923.tif 000009
2006506923.tif 000010
2006506923.tif 000011
2006506923.tif 000012
2006506923.tif 000013
2006506923.tif 000014